(57)【要約】【課題】操作者に見えない位置にタッチパッドのような操作部材が配置されていても、その誤操作を防止する。【解決手段】電子機器は、表示部１１６と、当該電子機器のうち表示部が備えられた面と反対側の面に備えられた操作面１１３、１１４に対するタッチ操作を検知する。そして、操作面に対する複数箇所のタッチを検出した場合、操作面で最も上の位置にあるタッチを有効とし、他のタッチのうち少なくとも１つを無効として、有効なタッチに応じた処理を行うように制御する。【選択図】図１
2019125885.tif 000002
【特許請求の範囲】
【請求項１】
電子機器であって、
表示手段と、
前記電子機器のうち前記表示手段が備えられた面と反対側の面に備えられた操作面に対するタッチ操作を検知するタッチ検知手段と、
前記操作面に対する複数箇所のタッチを検出した場合、前記操作面で最も上の位置にあるタッチを有効とし、他のタッチのうち少なくとも１つを無効として、有効なタッチに応じた処理を行うように制御する制御手段と、
を有することを特徴とする電子機器。
【請求項２】
電子機器であって、
表示手段と、
前記表示手段の表示面と同時に目視できない位置にある操作面に対するタッチ操作を検知するタッチ検知手段と、
前記操作面に対する複数箇所のタッチを検出した場合、前記操作面において所定の方向にスキャンした際に前記タッチ検知手段で最初に検知されたタッチを有効として、当該有効なタッチに応じた処理を行うように制御する制御手段と、
を有することを特徴とする電子機器。
【請求項３】
前記有効なタッチは操作者の人差し指で前記操作面をタッチする際にタッチ操作がし易い位置におけるタッチであることを特徴とする請求項１又は２に記載の電子機器。
【請求項４】
前記制御手段は、前記スキャンを開始して前記タッチ検知手段で最初に検知されたタッチを有効とすると、前記スキャンを停止することを特徴とする請求項２に記載の電子機器。
【請求項５】
さらに、前記電子機器を操作するための操作部材を備え、
前記制御手段は、前記操作部材に対する操作とは独立して前記操作面に対するタッチに応じた処理を行うことを特徴とする請求項１又は２に記載の電子機器。
【請求項６】
前記操作面は、複数の面を有しており、
前記制御手段は、前記複数の面のうちの一つの面に対するタッチを優先することを特徴とする請求項１又は２に記載の電子機器。
【請求項７】
撮像装置であって、
前記撮像装置のうち撮像される被写体側の面に備えられた操作面に対するタッチ操作を検知するタッチ検知手段と、
前記操作面に対する複数箇所のタッチを検出した場合、前記操作面で最も上の位置にあるタッチを有効とし、他のタッチのうち少なくとも１つを無効として、有効なタッチに応じた処理を行うように制御する制御手段と、
を有することを特徴とする撮像装置。
【請求項８】
表示手段を備える電子機器の制御方法であって、
前記電子機器のうち前記表示手段が備えられた面と反対側の面に備えられた操作面に対するタッチ操作を検知するタッチ検知ステップと、
前記操作面に対する複数箇所のタッチを検出した場合、前記操作面で最も上の位置にあるタッチを有効とし、他のタッチのうち少なくとも１つを無効として、有効なタッチに応じた処理を行うように制御する制御ステップと、
を有することを特徴とする制御方法。
【請求項９】
表示手段と、前記表示手段の表示面と同時に目視できない位置にある操作面とを備える電子機器の制御方法であって、
前記操作面に対するタッチ操作を検知するタッチ検知ステップと、
前記操作面に対する複数箇所のタッチを検出した場合、前記操作面において所定の方向にスキャンした際に前記タッチ検知ステップで最初に検知されたタッチを有効として、当該有効なタッチに応じた処理を行うように制御する制御ステップと、
を有することを特徴とする制御方法。
【請求項１０】
撮像装置の制御方法であって、
前記撮像装置のうち撮像される被写体側の面に備えられた操作面に対するタッチ操作を検知するタッチ検知ステップと、
前記操作面に対する複数箇所のタッチを検出した場合、前記操作面で最も上の位置にあるタッチを有効とし、他のタッチのうち少なくとも１つを無効として、有効なタッチに応じた処理を行うように制御する制御ステップと、
を有することを特徴とする制御方法。
【請求項１１】
コンピュータを、請求項１乃至６のいずれか１項に記載された電子機器の各手段として機能させるためのプログラム。
【請求項１２】
コンピュータを、請求項７に記載された撮像装置の各手段として機能させるためのプログラム。
【請求項１３】
コンピュータを、請求項１乃至６のいずれか１項に記載された電子機器の各手段として機能させるためのプログラムを格納したコンピュータが読み取り可能な記憶媒体。
【請求項１４】
コンピュータを、請求項７に記載された撮像装置の各手段として機能させるためのプログラムを格納したコンピュータが読み取り可能な記憶媒体。
【発明の詳細な説明】
【技術分野】
【０００１】
本発明は、電子機器、撮像装置、その制御方法、およびプログラム、並びに記憶媒体に関し、特に、タッチパネルを有する電子機器に関する。
【背景技術】
【０００２】
一般に、液晶パネルなどの表示部の表面にタッチパッドを配置したタッチパネルを備える電子機器が知られている。そして、タッチパネルの操作精度の向上につれて、タッチパネルの用途は多岐に亘っている。例えば、スマートフォン、デジタルカメラ、パーソナルコンピュータ、および多機能腕時計などの電子機器にタッチパネルが用いられている。さらには、カーナビゲーションシステム、事務機の操作パネル、駅の切符販売機、および航空機の座席に配置された娯楽用モニターなどにおいてタッチパネルが用いられている。
【０００３】
一方、表示部にタッチパッドを配置したタッチパネルにおいては、操作者の手によって表示画面が隠されてしまい、操作者が表示画面を目視することが困難となることがある。
【０００４】
そこで、電子機器において操作者が対面する面と反対側の面にタッチパッドを設置するようにしたものがある（特許文献１）。このようにすれば、タッチパッドの操作によって表示画面が覆い隠されてしまうという事態を防止することができる。
【０００５】
さらに、タッチパネルの操作精度を向上させるためには、複数の操作入力を検出した際に判別処理を行う必要がある。例えば、操作する指以外の指又は手の甲がタッチパネルに触れると誤検出が生じるので、このような誤検出を防止するため種々の対策が講じられている。例えば、複数のタッチ操作を検出した場合に、所定時間後におけるタッチ操作の変化量を比較することによって、主操作を抽出する手法がある（特許文献２）。
【先行技術文献】
【特許文献】
【０００６】
【特許文献１】特開２００６−３１９９０３号公報
【特許文献２】特開２００４−１９９１８１号公報
【発明の概要】
【発明が解決しようとする課題】
【０００７】
上述の特許文献１においては、操作者が対面する面と反対側の面にタッチパッドを設置しているので、電子機器を保持するための指の付近にタッチパッドが配置されることになる。このため、使い慣れないとタッチの誤操作が生じる恐れがある。
【０００８】
図１０は、従来の電子機器を操作者が対面する面と反対側の面から見た図である。
【０００９】
電子機器の１つであるタブレット端末１０００において、操作者が対面する面（操作者側面）と反対側の面（反対側面）には撮影レンズ１２００が配置されている。さらに、当該反対側面にはタッチパッド１３００が配されている。
【００１０】
図示の例では、操作者は、撮影レンズ２を介して撮影された画像を操作者側面に配置された表示パネル（図示せず）を目視しつつタブレット端末１００を操作している。ここでは、操作者は右手人差し指１４００によってタッチパッド１３００をタッチ操作しようとしているものの、右手中指１５００および左手人差し指１６００がタッチパッド１３００に接触した状態となっている。
【００１１】
このような状態では、タッチパッド１３００によって、複数の指によるタッチ操作が検出されてしまう。そして、特許文献２に記載の手法を用いたとしても、例えば、右手人差し指１４００とともに右手中指１５００が動いてしまうので、これら指の動きの差を検出することは困難である。さらには、所定時間の移動量（変化量）を比較する結果、所定時間が経過しないと主操作の判定を行うことができず、タッチ操作に対する反応が遅くなってしまう。
【００１２】
そこで、本発明の目的は、操作者に見えない位置にタッチパッドのような操作部材が配置されていても、誤操作を防止することのできる電子機器、撮像装置、その制御方法、およびプログラム、並びに記憶媒体を提供することにある。
【課題を解決するための手段】
【００１３】
上記の目的を達成するため、本発明による電子機器は、表示手段と、前記電子機器のうち前記表示手段が備えられた面と反対側の面に備えられた操作面に対するタッチ操作を検知するタッチ検知手段と、前記操作面に対する複数箇所のタッチを検出した場合、前記操作面で最も上の位置にあるタッチを有効とし、他のタッチのうち少なくとも１つを無効として、有効なタッチに応じた処理を行うように制御する制御手段と、を有することを特徴とする。
【発明の効果】
【００１４】
本発明によれば、操作者に見えない位置にタッチパッドのような操作部材が配置されていても、その誤操作を防止することができる。
【図面の簡単な説明】
【００１５】
【図１】本発明の第１の実施形態による電子機器の一例を説明するための図である。
【図２】図１に示すカメラの構成についてその一例を示すブロック図である。
【図３】図１に示すカメラに備えられたタッチパッドの操作を説明するための図である。
【図４】図２に示す全体制御ＣＰＵで行われるタッチ位置の検出を説明するためのフローチャートである。
【図５】本発明の第２の実施形態によるカメラに備えられたタッチパッドの操作を説明するための図である。
【図６】本発明の第３の実施形態による電子機器の一例である双眼鏡を説明するための図である。
【図７】本発明の第４の実施形態による電子機器を備える椅子の一例を説明するための図である。
【図８】図７に示す操作パネルの構成についてその一例を示すブロック図である。
【図９】本発明の第５の実施形態による電子機器の一例である腕時計を説明するための図である。
【図１０】従来の電子機器を操作者が対面する面と反対側の面から見た図である。
【発明を実施するための形態】
【００１６】
以下に、本発明の実施の形態による電子機器の一例について図面を参照して説明する。
【００１７】
［第１の実施形態］
図１は、本発明の第１の実施形態による電子機器の一例を説明するための図である。そして、図１（ａ）は電子機器を前面側から見た斜視図であり、図１（ｂ）は電子機器を背面側から見た斜視図である。また、図１（ｃ）は電子機器を上面側から見た図である。
【００１８】
図示の電子機器はデジタルカメラ（以下単にカメラと呼ぶ）であり、前面とは、カメラの撮影レンズ１０２が位置する面であり、撮影対象である被写体が位置する側（被写体側）をいう。背面とは、カメラを操作する撮影者（操作者）が位置する側の面であり、例えば、ファインダー表示部などが配置された面である。
【００１９】
カメラはカメラ本体１１１を有しており、カメラ本体１１１の前面側には撮影レンズ１０２が配置されている。また、カメラ本体１１１の背面側にはファインダー表示部１０３が配置されている。
【００２０】
レフレックスタイプのカメラの場合には、撮影レンズ２を介して入射した光学像がミラー光学系およびペンタプリズム光学系（ともに図示せず）を介してファインダー表示部１０３に導かれる。ファインダー表示部１０３にデジタル画像を表示する場合には、撮影レンズ１０２を介して、カメラ本体１１１に備えられた撮像素子に結像した光学像に応じたデジタル画像（ライブビュー画像）がファインダー表示部１０３に備えられた表示素子に表示される。
【００２１】
カメラ本体１１１の背面側には、モニター表示部（例えば、液晶パネル）１１６が備えられており、表示部１１６の表示面にはタッチパネル（背面タッチパッド）が配置されている。ライブビュー撮影などの際には、モニター表示部１１６に画像が表示され、撮影者はモニター表示部１１６に表示された画像を目視しつつ撮影を行うことができる。
【００２２】
タッチパネルは、例えば、撮影者がタッチした位置に焦点を合わせるオートフォーカスの際に用いられる。さらには、タッチパネルは表示部に表示されたメニューを操作する際に用いられる。
【００２３】
カメラ本体１１１には、右手用のグリップ１０９ａが形成されており、撮影者はカメラを保持する際には、例えば、右手中指、薬指、および小指で当該グリップ１０９ａを把持する。引っ掛かり部１０９ｂは、親指の根元によるホールドを良好にするための部位である。この引っ掛かり部１０９ｂはカメラによってはないこともある。レリーズスイッチ１１０は撮影者によって撮影を行う際に操作される。
【００２４】
カメラ本体１１１の前面側には、左手用前面タッチパッド１１３および右手用前面タッチパッド１１４（操作面）が配置されている。図示の例では、右手用前面タッチパッド１１４は、湾曲して右手用グリップ６に達しているが、平面部分の範囲で形成するようにしてもよい。また、撮影レンズ１０２の配置に応じて、左手用前面タッチパッド１１３および右手用前面タッチパッド１１４を一体に形成するようにしてもよい。
【００２５】
図２は、図１に示すカメラの構成についてその一例を示すブロック図である。なお、図２において、図１に示す構成要素と同一の構成要素については同一の参照番号を付す。
【００２６】
図示のカメラは、全体制御ＣＰＵ１０１を有しており、全体制御ＣＰＵ１０１はカメラ全体の制御を司る。全体制御ＣＰＵ１０１はＲＯＭ２０１に記憶されたプログラムをＲＡＭ２０２に展開して実行してカメラを制御する。なお、ＲＡＭ２０２は全体制御ＣＰＵ１０１のワークエリアとしても用いられる。
【００２７】
その他各種スイッチ１０６は、例えば、絞り値、シャッター速度、および照明の設定などを行う際に用いられる。撮像部１０４は撮像素子、およびその駆動回路、そして、現像回路などを有している。撮影レンズ１０２を介して撮像素子に光学像が結像する。撮像素子は光学像に応じた画像信号を出力する。そして、撮像部１０４は画像信号に所定の画像処理を施して画像データとして制御ＣＰＵ１０１に出力する。電源スイッチ１０５は、カメラの電源をオン又はオフする際に用いられる。
【００２８】
図３は、図１に示すカメラに備えられたタッチパッドの操作を説明するための図である。そして、図３（ａ）はタッチパッドの操作を示す図であり、図３（ｂ）は２つのタッチパッドを仮想的に連結した空間を示す図である。また、図３（ｃ）は演算上のタッチパッドの位置と指の位置との関係およびタッチされた座標を示す図であり、図３（ｄ）はタッチされた位置の座標変換を示す図である。
【００２９】
図３（ａ）においては、撮影者はカメラを把持して、右手人差し指３０４で右手用前面タッチパッド１１４を操作しようとしている。全体制御ＣＰＵ１０１は、左手用前面タッチパッド１１３および右手用前面タッチパッド１１４を連続的に繋がった空間として認識しており、当該空間においていずれの位置がタッチされたかを検出（タッチ検知）する。なお、図３（ｂ）において、参照番号１１４’は、右手用前面タッチパッド１１４がグリップ１０９ａで折り曲がっている位置を示す。
【００３０】
前述のように、全体制御ＣＰＵ１０１は撮影レンズ１０２が存在せず左手用前面タッチパッド１３および右手用前面タッチパッド１４を連続した空間として認識している。よって、図３（ｃ）においては、右手と左手との関係が図３（ａ）に示す関係と異なり、左手および右手との間隔が狭くなっている。
【００３１】
図３（ｃ）において、Ａで示す位置は右手人差し指３０４４が右手用前面タッチパッド１１４にタッチした位置を示す、また、Ｂで示す位置は左手人差し指３０６が左手用前面タッチパッド１１３にタッチした位置を示す。そして、Ｃで示す位置は、右手中指３０５が右手用前面タッチパッド１１４にタッチした位置を示す。
【００３２】
全体制御ＣＰＵ１０１は複数箇所のタッチされた位置Ａ、Ｂ、およびＣを座標に変換する。図３（ｄ）に示すように、右方向をＸ軸、上方向をＹ軸として、その交点を０とする。ここでは、位置Ａを座標（Ｘａ，Ｙａ）で示し、位置Ｂを座標（Ｘｂ，Ｙｂ）、位置Ｃを座標（Ｘｃ，Ｙｃ）で示す。Ｓは、タッチ位置をスキャンする際のスタート位置である。
【００３３】
なお、図３（ａ）において、参照番号３０７は右手薬指を示し、参照番号３０８は右手小指を示す。
【００３４】
図４は、図２に示す全体制御ＣＰＵで行われるタッチ位置の検出を説明するためのフローチャートである。なお、図示のフローチャートに係る処理は、全体制御ＣＰＵ１０１がＲＯＭ２０１に格納されたプログラムをＲＡＭ２０２に展開して実行することにより行われる。
【００３５】
電源スイッチ１０５がオンされると、Ｓ４０１では、全体制御ＣＰＵ１０１はタッチ位置をスキャンする際に用いるカウンタ（ｉ、ｊ）を初期化する。ｉはＸ方向のスキャンを示し、ｊはＹ方向のスキャンを示す。図示のカメラにおいては、Ｘ方向およびＹ方向ともに最大（ｍａｘ）の座標から負の方向にスキャンされる。よって、スキャンの際の初期値は、最大の座標となる。ここでは、スキャン開始位置Ｓの座標を、（Ｘｉｍａｘ、Ｙｊｍａｘ）とする。そして、全体制御ＣＰＵ１０１はスキャン開始位置ＳからＹ方向にスキャンを開始する。
【００３６】
Ｓ４０２では、全体制御ＣＰＵ１０１はｊ＝ｊ−１とする。そして、全体制御ＣＰＵ１０１はＹ方向にスキャンを行う。Ｓ４０３では、全体制御ＣＰＵ１０１はラインＹｊにおいてタッチがあったか否かを判定する。タッチがあった場合にはＳ４０４に進み、そうでない場合はＳ４０２に戻る。なお、タッチがあった場合には、全体制御ＣＰＵ１０１は、図３（ｄ）に示すように、例えば、Ｙ座標として位置ＡにおけるＹ座標Ｙａを確定する。
【００３７】
Ｓ４０４では、全体制御ＣＰＵ１０１はタッチ座標Ｙｊにおけるタッチ座標Ｘｉを検出するため、ｉ＝ｉ−１とする。そして、Ｓ４０５では、全体制御ＣＰＵ１０１は座標（Ｘｉ、Ｙｊ）、つまり、Ｘｉにおいてタッチがあったか否かを判定する。タッチがあった場合にはＳ４０６に進み、そうでない場合はＳ４０４に戻る。なお、タッチがあった場合には、全体制御ＣＰＵ１０１は、図３（ｄ）に示すように、例えば、位置Ａにおける座標（Ｘｊ、Ｙｊ）を（Ｘａ，Ｙａ）と確定する。そして、全体制御ＣＰＵ１０１はＹａよりも下方向の位置におけるＸ座標の検出を停止する。つまり、全体制御ＣＰＵ１０１は最初のタッチのみを有効とする。
【００３８】
Ｓ４０６では、全体制御ＣＰＵ１０１は既知のカメラ動作を行う。ここで、既知のカメラ動作とは、タッチ操作（タッチ位置）によって選択された項目に応じた動作であり、例えば、オートフォーカス、測光、撮影、記録、又は表示である。
【００３９】
Ｓ４０７では、全体制御ＣＰＵ１０１は電源スイッチ１０５がオフ（ＯＦＦ）されたか否かを判定する。電源スイッチ１０５がオフされた場合には、全体制御ＣＰＵ１０１はタッチ検出を終了する。そうでない場合はＳ４０１に戻る。
【００４０】
このようにして、Ｙ方向において最も高い位置におけるタッチを検出するようにしたので、図３（ｄ）に示す例では、位置Ａにおけるタッチが検出されて選択さけることになる。なお、位置ＢがＹ方向においても最も高いタッチ位置であれば、座標（Ｘｂ，Ｙｂ）が検出され、位置ＣがＹ方向においても最も高いタッチ位置であれば、座標（Ｘｃ，Ｙｃ）が検出される。
【００４１】
カメラに操作者と対面する面と反対側の面にタッチパッドなどの操作部材が備えられている場合には、Ｙ方向において最も高い位置にある指で、撮影者はタッチ操作を行うことが実験的に確認されている。
【００４２】
一方、図３（ａ）に示すように、左手人差し指３０６でうっかり左手用前面タッチパッド１３をタッチすることがある。また、右手中指３０５でうっかり右手用前面タッチパッド１４をタッチすることがある。このような場合においても、前述のようにしてタッチ操作を検出するようにすれば、右手人差し指４０４によるタッチ操作のちを検出することになる。
【００４３】
このように、本発明の第１の実施形態では、撮影者に見えない位置にタッチパッドなどの操作部材が配置されていても、その誤操作を確実に防止することができる。
【００４４】
なお、上述の例では、表示部と反対側の面に設けられたタッチパッドをタッチする際の処理について説明したが、表示部に備えられたタッチパッドをタッチ操作する際においても、同様にして処理される。
【００４５】
［第２の実施形態］
続いて、本発明の第２の実施形態による電子機器の一例について説明する。ここでは、電子機器の１つであるカメラを例に挙げて説明する。
【００４６】
前述の第１の実施形態では、人差し指でタッチパッドを操作する場合を例に挙げた。ここでは、人差し指によってタッチパッドのタッチ以外の他の操作が行われる場合のタッチ検出について説明する。なお、第２の実施形態によるカメラの構成は図１および図２に示すカメラと同様である。
【００４７】
一般に、カメラを操作する場合には、シャッターチャンスを逃さないようにするため、レリーズスイッチの操作が最優先される。このため、右手人差し指は常にレリーズスイッチ１０上に位置づけられている。そして、その他の操作については、人差し指を除く指で操作される。
【００４８】
図５は、本発明の第２の実施形態によるカメラに備えられたタッチパッドの操作を説明するための図である。そして、図５（ａ）はタッチパッドの操作を示す図であり、図５（ｂ）は２つのタッチパッドを仮想的に連結した空間を示す図である。
【００４９】
図５（ａ）に示す例では、撮影者は右手人差し指３０４をレリーズスイッチ１１０に位置づけて撮影を行う準備をしている。そして、撮影者は、右手中指３０５によって右手用前面タッチパッド１１４をタッチ操作しようとしている。
【００５０】
図５（ｂ）には、全体制御ＣＰＵ１０１における演算上の空間が示されており、ここでは、図３（ｃ）に示す例と同様の座標となる。そして、第２の実施形態におけるタッチ検出処理は図４に示す例と同様となる。つまり、タッチパッドに接触する指が右手人差し指４から右手中指５になっただけであり、タッチ検出について図４で説明したようにして行われる。
【００５１】
第２の実施形態においても、誤って左手人差し指３０６、右手薬指３０７、および右手小指３０８によるタッチが検出されることはない。このに、人差し指で、他の操作（例えば、レリーズスイッチ１１０の操作）を行っている場合であっても、タッチパッドの誤操作を防止することができる。
【００５２】
［第３の実施形態］
続いて、本発明の第３の実施形態による電子機器の一例について説明する。
【００５３】
図６は、本発明の第３の実施形態による電子機器の一例である双眼鏡を説明するための図である。そして、図６（ａ）は双眼鏡を示す斜視図であり、図６（ｂ）は双眼鏡を上側から見た図である。また、図６（ｃ）はタッチパッドの座標空間を示す図である。
【００５４】
図示の双眼鏡６２１は、接眼レンズ部６２３を有しており、一般に操作者は双眼鏡６２１を把持する際に親指が双眼鏡６２１の下側、人差し指および中指が双眼鏡６２１の上側に位置づける。
【００５５】
図６（ｂ）に示すように、双眼鏡６２１の上面にはタッチパッド６２４が配置されている。その結果、操作者は接眼レンズ部６２３を見つつ、同時にタッチパッドを目視することは困難である。図６（ｃ）は、双眼鏡６２１に備えられたＣＰＵ（図示せず）が認識するタッチパッド６２４の座標空間であり、図６（ｃ）に示す座標空間は、前述の図３（ｄ）に示す座標空間を１８０°回転したものである。
【００５６】
図４に関連して説明したように、スキャン開始座標３１５からスキャンを開始すると、ＣＰＵは右手人差し指３０４のタッチ位置Ａを検出することになる。
【００５７】
このように、本発明の第３の実施形態では、双眼鏡のように、操作者が対面する面に交差する面（例えば、上面）に配置されたタッチパッドにおいてもその誤操作を防止することができる。
【００５８】
なお、ここでは双眼鏡を例に挙げたが、顕微鏡および測定器などのようにタッチパッドなどの操作部材を筐体の上面に設置した電子機器であれば、同様にして誤操作を防止することができる。また、第３の実施形態によるタッチ検出は、図４で説明したフローチャートと同様の処理によって行われる。
【００５９】
［第４の実施形態］
続いて、本発明の第４の実施形態による電子機器の一例について説明する。
【００６０】
図７は、本発明の第４の実施形態による電子機器を備える椅子の一例を説明するための図である。そして、図７（ａ）は椅子の外観を示す図であり。図７（ｂ）は電子機器である操作パネルを示す図である。また、図７（ｃ）は操作者による操作パネルの操作を示す図であり、図７（ｄ）は操作パネルの座標空間を示す図である。なお、図示の椅子は、例えば、航空機の座席又はマッサージチェアーなどである。
【００６１】
図示の椅子７００は、操作パネル７３１を有しており、当該操作パネル７３１は椅子７００の肘掛け部に配置されている。図示の例では、椅子７００の前面側に表示用モニター７３６が配置されており、操作者は表示用モニター７３６を目視しつつ操作パネル７３１を操作するので、その操作中においては操作パネル７３１が視界に入らないことが多い。
【００６２】
図７（ｂ）に示すように、操作パネル７３１はタッチバッド７３２を有しており、このタッチパッド７３２は第１〜第３の実施形態で説明したタッチパッドと同様のタッチパッドである。さらに、操作パネル７３１は左スイッチ７３３および右スイッチ７３４を有している。これら左スイッチ７３３および右スイッチ７３４はタッチパッド７３２とは電気的には分離されて、独立して操作される。また、操作パネル７３１にはその他各種スイッチ７３５が備えられている。
【００６３】
図８は、図７に示す操作パネルの構成についてその一例を示すブロック図である。
【００６４】
操作パネル７３１は制御ＣＰＵ８０１を備えており、制御ＣＰＵ８０１は椅子７００全体の制御を司るとともに、モニター表示部７３６を制御する。制御ＣＰＵ８０１はＲＯＭ８０２に格納されたプログラムをＲＡＭ８０３に展開して実行することによって椅子７００およびモニター表示部７３６を制御する。
【００６５】
なお、図示のように、制御ＣＰＵ８０１にはタッチパッド７３２、左スイッチ７３３、右スイッチ７３４、およびその他各種スイッチ７３５が接続されている。
【００６６】
図７（ｃ）を参照すると、ここでは、操作者が人差し指３０４でタッチパッド７３２をタッチ操作しようとしている。操作者は人差し指３０４４によって位置Ａでタッチパッド３２をタッチしている。一方、操作者の意図に反して、中指３０５がタッチパッド３２に位置Ｂで触れており、小指８も位置Ｃで左スイッチ７３３に触れている。
【００６７】
図７（ｄ）には、制御ＣＰＵ８０１が認識するタッチパッド７３２、左スイッチ７３３、右スイッチ７３４，およびその他各種スイッチ７３５の座標が示されている。左スイッチ７３３、右スイッチ７３４、およびその他各種スイッチ７３５がタッチパッド７３２と電気的に分離されていても、その配置位置が予め分かっていれば、制御ＣＰＵ８０１はその位置を認識することができる。つまり、制御ＣＰＵ８０１は、図７（ｄ）に示すように、座標空間を認識する。
【００６８】
図４に関連して説明したように、制御ＣＰＵ８０１は、Ｙ方向において座標値が大きい側から順次スキャンすれば、まず位置Ａにおけるタッチを検出する。そして、制御ＣＰＵ８０１は位置Ａのタッチのみを有効とする。そして、制御ＣＰＵ８０１は位置Ｂのタッチおよび左スイッチ７３３のタッチ（接触）を無視（無効）とする。
【００６９】
このように、本発明の第４の実施形態では、タッチパッドのみではなく、タッチパネルに備えられた他のスイッチなどを含む座標空間を認識して、タッチパッドおよびスイッチなどの誤操作を確実に防止することができる。
【００７０】
［第５の実施形態］
続いて、本発明の第５の実施形態による電子機器の一例について説明する。
【００７１】
図９は、本発明の第５の実施形態による電子機器の一例である腕時計を説明するための図である。そして、図９（ａ）は腕時計の外観を示す図であり、図９（ｂ）は腕時計を左腕に装着した状態を示す斜視図である。また、図９（ｃ）は左腕に装着された腕時計を右手で操作する状態を示す図であり、図９（ｄ）はタッチパッドの座標空間を示す図である。
【００７２】
図９（ａ）において、腕時計９４０は時計文字盤の表面に配置された主表示部操作部材（タッチパネル）９４１を有している。そして、図中主表示部操作部材９４１の上側において腕時計９４０のバンドには第１のサブ操作板（タッチパッド）９４２が配置され、主表示部操作部材９４１の下側において腕時計９４０のバンドには第２のサブ操作板（タッチパッド）９４３が配置されている。
【００７３】
図９（ｂ）に示すように、腕時計９４０を左腕に装着した際には、主表示部操作部材９４１と第１のサブ操作板９４２（および第２のサブ操作板９４３）とは同一平面とならない。
【００７４】
ここでは、左腕に装着した腕時計９４０を右手で操作する際、図９（ｃ）に示すように、右手人差し指３０４で主表示部操作部材９４１が操作され、位置Ａにおいて主表示部操作部材９４１がタッチされている。
【００７５】
一方、操作者の意図に反して、右手中指３０５が第１のサブ操作板９４２に位置Ｂで触れており、また、右手薬指３０７が位置Ｃで第１のサブ操作板９４２に触れている。
【００７６】
腕時計９４０に備えられたＣＰＵ（図示せず）は、図９（ｃ）に示す接触状態を、図９（ｄ）に示す座標空間で認識する。そして、ＣＰＵは、図４で説明したようにして、Ｙ方向の座標値が大きい側からスキャンを実行する。これによって、ＣＰＵは、主表示部操作部材９４１の位置Ａにおけるタッチのみを検出して有効とし、他の接触（タッチ）を無視する。
【００７７】
このように、本発明の第５の実施形態では、複数の操作部材を備えて、これら操作部材が同一平面に位置しない場合であっても、誤操作を確実に防止することができる。
【００７８】
以上、本発明の好ましい実施形態について説明したが、本発明はこれらの実施形態に限定されず、その要旨の範囲内で種々の変形及び変更が可能である。
【００７９】
例えば、Ｙ方向の座標値が大きい側からスキャンするようにしたが、座標空間の設定およびスキャンの方向についてはこれに限定されるものではない。また、座標空間の全てについてスキャンを行って、タッチが検出された位置の座標値が最大の位置をタッチ位置として検出するようにしてもよい。
【００８０】
なお、ＣＰＵが行うものとして説明した上述の各種制御は１つのハードウェアが行ってもよいし、複数のハードウェア（例えば、複数のプロセッサーや回路）が処理を分担することで、装置全体の制御を行ってもよい。
【００８１】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものに過ぎず、各実施形態を適宜組み合わせることも可能である。
【００８２】
また、上述した実施形態においては、本発明をカメラなどの電子機器に適用した場合を例にして説明したが、これはこの例に限定されずタッチパッドを有する電子機器であれば適用可能であるすなわち、本発明はパーソナルコンピュータやＰＤＡ、携帯電話端末や携帯型の画像ビューワ、デジタルフォトフレーム、音楽プレーヤー、ゲーム機、電子ブックリーダーなどに適用可能である。
【００８３】
また、電子機器本体に限らず、有線または無線通信を介して電子機器（ネットワークカメラを含む）と通信し、電子機器を遠隔で制御する制御装置にも本発明を適用可能である。電子機器を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００８４】
［他の実施形態］
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８５】
１０１  全体制御ＣＰＵ
１０２  撮影レンズ
１０４  撮像部
１０５  電源スイッチ
１０６  その他各種スイッチ
１０９ａ  グリップ
１１０  レリーズスイッチ
１１３  左手用前面タッチパッド
１１４  右手用前面タッチパッド
【図１】
2019125885.tif 000003
【図２】
2019125885.tif 000004
【図３】
2019125885.tif 000005
【図４】
2019125885.tif 000006
【図５】
2019125885.tif 000007
【図６】
2019125885.tif 000008
【図７】
2019125885.tif 000009
【図８】
2019125885.tif 000010
【図９】
2019125885.tif 000011
【図１０】
2019125885.tif 000012